(57)【要約】【課題】  新聞広告を活用して、目的とする商品の購入価格を他店との比較および時系列で分析し、商品購入の意思決定を円滑にすることができる新聞広告分析システム、サーバおよび新聞広告分析プログラムを提供する。【解決手段】  新聞広告分析サイトサーバ１０は、利用者端末３０から商品情報を受け取り、各店舗Ｗｅｂページ２０から各店舗データベース１００を検索して、商品情報を取得し、所定の地域の店舗の平均商品価格あるいは市場価格推移を利用者端末３０に表示する。【選択図】  図１
2005267192.tif 000002
【特許請求の範囲】
【請求項１】
ネットワークを介して利用者端末と、サーバが接続されている利用者に対して新聞広告に掲載されている商品価格の推移を把握させる新聞広告分析システムであって、
前記利用者端末は、新聞広告のバーコードを読み取る読取手段と、
前記読取手段により読み取られた前記バーコードに格納されている商品価格を含む商品情報を前記サーバに送信する送信手段と、
前記サーバから送信されるデータを表示する表示手段と、を備え、
前記サーバは、各店舗のＷｅｂページから取得した商品情報を蓄積する商品情報記憶手段と、
商品ごとの市場価格の推移情報を蓄積する推移情報記憶手段と、
前記利用者端末から前記商品情報を受信する受信手段と、
前記受信手段により受信された前記商品情報および前記商品情報記憶手段に蓄積されている前記商品情報に基づいて地域平均価格を算出する算出手段と、
前記利用者端末に商品情報、地域平均価格および市場価格推移情報の少なくとも１つに関するデータを送信するデータ送信手段と、
を備えることを特徴とする新聞広告分析システム。
【請求項２】
前記サーバは、前記受信手段により受信される前記商品情報に基づいて、各店舗Ｗｅｂページから前記商品情報を取得する取得手段を備えることを特徴とする請求項１記載の新聞広告分析システム。
【請求項３】
前記サーバは、前記受信手段により受信される前記商品情報に基づいて、新聞広告に掲載されている商品価格と同商品の地域平均価格を比較する比較手段と、
前記比較手段により比較された比較データを前記利用者端末に送信する比較データ送信手段と、
を備えることを特徴とする請求項１または２に記載の新聞広告分析システム。
【請求項４】
前記サーバは、前記比較データ、前記商品情報、前記地域平均価格および前記市場価格推移情報の少なくとも１つをデータ出力するデータ出力手段を備えることを特徴とする請求項１から３のいずれか１項に記載の新聞広告分析システム。
【請求項５】
前記サーバは、前記比較データを印刷する印刷手段を備えることを特徴とする請求項１から４のいずれか１項に記載の新聞広告分析システム。
【請求項６】
各店舗のＷｅｂページから取得した商品情報を蓄積する商品情報記憶手段と、
商品ごとの市場価格の推移情報を蓄積する推移情報記憶手段と、
前記商品情報を入手する入手手段と、
前記受信手段により受信された前記商品情報および前記商品情報記憶手段に蓄積されている前記商品情報に基づいて地域平均価格を算出する算出手段と、
前記利用者端末に商品情報、地域平均価格および市場価格推移情報の少なくとも１つに関するデータを送信するデータ送信手段と、
を備えることを特徴とするサーバ。
【請求項７】
前記入手手段により入手される前記商品情報に基づいて、各店舗Ｗｅｂページから前記商品情報を取得する取得手段を備えることを特徴とする請求項６記載のサーバ。
【請求項８】
前記入手手段により入手される前記商品情報に基づいて、新聞広告に掲載されている商品価格と同商品の地域平均価格を比較する比較手段と、
前記比較手段により比較された比較データを送信する比較データ送信手段を備えることを特徴とする請求項６または７に記載のサーバ。
【請求項９】
前記比較データ、前記商品情報、前記地域平均価格および前記市場価格推移情報の少なくとも１つをデータ出力するデータ出力手段を備えることを特徴とする請求項６から８のいずれか１項に記載のサーバ。
【請求項１０】
サーバ上で実行され、ネットワークを介して利用者端末に新聞広告に掲載されている商品価格を把握させる新聞広告分析プログラムであって、新聞広告にバーコードを作成し、そのバーコードをもとに各店舗Ｗｅｂページにアクセスし、商品情報を取得し、新聞広告に掲載されている商品価格と同商品の地域平均価格との比較結果や商品ごとの市場価格推移を利用者端末にネットワークを介して提供することを実行する機能を有することを特徴とする新聞広告分析プログラム。
【請求項１１】
新聞広告にバーコードを作成し、そのバーコードをスキャンすることで、各店舗Ｗｅｂページに遷移し、商品情報を取得する機能を実行することを特徴とする請求項１０に記載の新聞広告分析プログラム。
【請求項１２】
新聞広告に掲載されている商品価格と同商品の地域平均価格を比較する機能および商品ごとの市場価格推移を閲覧可能にする機能を実行することを特徴とする請求項１０または１１に記載の新聞広告分析プログラム。
【請求項１３】
新聞広告に掲載されている商品価格と同商品の地域平均価格との比較結果、または商品ごとの市場価格推移をデータ出力する機能を実行することを特徴とする請求項１０から１２のいずれか１項に記載の新聞広告分析プログラム。
【発明の詳細な説明】
【技術分野】
【０００１】
本発明は、新聞広告に掲載される商品価格と同商品の地域平均価格を比較し、さらに商品ごとの市場価格推移も閲覧することにより、商品価格の推移を把握し、商品購入を円滑にする新聞広告分析システム、サーバおよび新聞広告分析プログラムに関する。
【背景技術】
【０００２】
従来、消費者が、新聞広告を活用して商品購入の際の意思決定を行う場合において、１つの情報に基づいて、自己の過去の経験等から主観的に新聞広告を分析することに留まる傾向が強い為、商品の購入後に、実は他の商店が安かったことが判明するという事態が起こる可能性が高かった。
【０００３】
また、消費者が、商品価格等を確認するために、商店等のＷｅｂページにアクセスする際には、ＵＲＬ（Uniform Resource Locators）を所定の欄にキーボード等の入力装置を用いて入力することが必要であり、操作に慣れない人にとっては煩雑な作業となっていた。
【０００４】
ここで、ＵＲＬをキーボードにより入力することなく、簡単に事業者のＷｅｂページを開くことを可能とすべく、商品に識別バーコードを付しておき、バーコードリーダによりそのバーコード情報を読み取り、バーコード情報に対応付けられたＵＲＬ情報をサーバより受信して該当するＷｅｂページを表示することができる技術が提案されている（例えば、特許文献１参照）。
【特許文献１】特開２００２−１０８７４０号公報
【発明の開示】
【発明が解決しようとする課題】
【０００５】
しかしながら、上述した従来例においては、消費者が、目的とする商品をいくらで購入できるのか、また、その店で購入すべきであるか、さらに、現時点で購入すべきであるかという観点での分析を十分に行うことができないという問題点があった。
【０００６】
本発明は、上記の問題点に鑑みてなされたものであり、新聞広告を活用して、目的とする商品の購入価格を他店との比較および時系列で分析し、商品購入の意思決定を円滑にすることができる新聞広告分析システム、サーバおよび新聞広告分析プログラムを提供することを目的とする。
【課題を解決するための手段】
【０００７】
本発明による新聞広告分析システムは、新聞広告に一意のバーコードが与えられており、そのバーコードを読み込み後、ネットワークを経由して各店舗Ｗｅｂページにアクセスし、新聞広告に掲載されている商品名および商品価格情報を取得する。そして、バーコード入力した同業種の他店舗の同商品との平均価格を算出し、地域平均価格とし、新聞広告掲載商品と比較をする。そして、予め市場価格をデータとして貯蓄しておき、市場価格推移を閲覧する。
【０００８】
また、本発明による新聞広告分析システムは、新聞広告にバーコードを作成し、そのバーコードをスキャンすることで、各店舗Ｗｅｂページに遷移し、商品情報を取得することを特徴とする。
【０００９】
また、本発明による新聞広告分析システムは、新聞広告に掲載されている商品価格の推移を把握するために、新聞広告に掲載されている商品価格と同商品の地域平均価格を比較する機能、さらに商品ごとの市場価格推移を閲覧可能な機能を有することを特徴とする。
【００１０】
また、本発明による新聞広告分析システムは、新聞広告に掲載されている商品価格と同商品の地域平均価格との比較結果、商品ごとの市場価格推移をデータ出力する機能を有することを特徴とする。
【００１１】
また、本発明によるサーバは、ネットワークを介して利用者に対して新聞広告に掲載されている商品の価格推移を把握させる新聞広告分析サイトのサーバであって、新聞広告のバーコードを読み込み、商品情報を取得し地域平均価格と比較した上で、さらに商品ごとの市場価格推移を閲覧可能とする手段を備えることを特徴とする。
【００１２】
また、本発明によるサーバは、新聞広告に添付されているバーコードを読み込み後、各店舗Ｗｅｂページに遷移し、商品情報を取得する手段を備えることを特徴とする。
【００１３】
また、本発明によるサーバは、新聞広告に掲載されている商品価格の推移を把握するために、新聞広告に掲載されている商品価格と同商品の地域平均価格を比較し、さらに商品ごとの市場価格遷移を閲覧する機能を有することを特徴とする。
【００１４】
また、本発明によるサーバは、新聞広告に掲載されている商品価格と同商品の地域平均価格との比較結果、または商品ごとの市場価格推移をデータ出力する機能を有することを特徴とする。
【００１５】
また、本発明による新聞広告分析プログラムは、サーバ上で実行され、ネットワークを介して利用者に対して新聞広告に掲載されている商品価格の推移を把握させる新聞広告分析プログラムであって、新聞広告にバーコードを作成し、そのバーコードを基に各店舗Ｗｅｂページにアクセスし、商品情報を取得する。そして、新聞広告に掲載されている商品価格と同商品の地域平均価格との比較結果や商品ごとの市場価格推移を利用者にネットワークを介して提供することを実行する機能を有することを特徴とする。
【００１６】
また、本発明による新聞広告分析プログラムは、新聞広告にバーコードを作成し、そのバーコードをスキャンすることで、各店舗Ｗｅｂページに遷移し、商品情報を取得する機能を実行することを特徴とする。
【００１７】
また、本発明による新聞広告分析プログラムは、新聞広告に掲載されている商品価格の推移を把握するために、新聞広告に掲載されている商品価格と同商品の地域平均価格を比較する機能、また商品ごとの市場価格推移を閲覧可能にする機能を実行することを特徴とする。
【００１８】
また、本発明による新聞広告分析プログラムは、新聞広告に掲載されている商品価格と同商品の地域平均価格との比較結果、または商品ごとの市場価格推移をデータ出力する機能を実行することを特徴とする。
【発明の効果】
【００１９】
本発明の新聞広告分析システムによれば、消費者は、新聞広告を活用して、目的とする商品の購入価格を他店との比較および時系列で分析し、商品購入の意思決定を円滑にすることができる。
【００２０】
本発明のサーバによれば、消費者は、新聞広告を活用して、目的とする商品の購入価格を他店との比較および時系列で分析し、商品購入の意思決定を円滑にすることができる。
【００２１】
本発明の新聞広告分析プログラムによれば、消費者は、新聞広告を活用して、目的とする商品の購入価格を他店との比較および時系列で分析し、商品購入の意思決定を円滑にすることができる。
【発明を実施するための最良の形態】
【００２２】
以下、本発明の実施形態について図面を参照して詳細に説明する。図１は、新聞広告分析システムのシステム構成を示すブロック図である。
【００２３】
図１を参照すると、本実施形態による新聞広告分析システムは、新聞広告分析サイトサーバ１０、各店舗Ｗｅｂページ２０、各店舗データベース１００および利用者端末３０ａ、ｂから構成されている。
【００２４】
利用者端末３０ａ、ｂと新聞広告分析サイトサーバ１０は、ネットワーク１０２を介して接続されており、また、新聞広告分析サイトサーバ１０と、各店舗データベース１００を備える各店舗Ｗｅｂページ２０は、ネットワーク１０１を介して接続されており、それぞれ双方向の通信が可能となっている。ネットワーク１０１、１０２は、任意にのネットワークであり、例えば、インターネットまたはＷＡＮ（Wide Area Network）である。
【００２５】
利用者端末３０ａおよび利用者端末３０ｂは、新聞広告のバーコードを読み取る機能を有しているバーコード読取部と、その読込んだバーコード情報を新聞広告分析サイトサーバ１０に送信する機能を有している送信部と、新聞広告分析サイトサーバ１０から情報を取得して表示する表示部を有している情報処理装置である。例えば、パーソナルコンピュータあるいは携帯電話機等であってもよい。
【００２６】
図２は、新聞広告分析サイトサーバ１０の構成を示すブロック図である。
【００２７】
図２を参照すると、本実施形態による新聞広告内容を分析する新聞広告分析サイトサーバ１０は、新聞広告のバーコードを読み込む機能を有しているバーコード読込部１１０と、各店舗の商品情報を記憶している商品情報蓄積部１２０と、市場価格情報を記憶している市場価格蓄積部１３０と、新聞広告に掲載されている商品価格と地域平均価格を比較した結果情報を格納する比較結果蓄積部１４０と、表出力部１５０と、データ出力部１６０と、市場価格推移表示部１７０を備えている情報処理装置である。例えば、ワークステーション等であってもよい。
【００２８】
次に、上記のように構成される本実施形態による新聞広告分析システムの動作について、図３〜８を参照して詳細に説明する。図３は、本実施形態による商品価格分析処理の動作を説明するフローチャートである。なお、以下の説明においては、Ａスーパー、Ｂスーパー、Ｃ家電およびＤ薬局の４店舗の新聞広告からバーコードを入力するものとする。
【００２９】
まず、利用者は、利用者端末３０ａあるいは利用者端末３０ｂから、これら４店舗の新聞広告のバーコードを、例えば、図４に示すような画面から入力あるいはスキャンする（ステップ３０１）。そして、利用者端末３０ａあるいは利用者端末３０ｂの検索ボタンを押下することによりバーコード情報を新聞広告分析サイトサーバ１０に送信する（ステップ３０２）。このとき、例えば、図５に示すような画面が利用者端末３０ａあるいは利用者端末３０ｂに表示されていてもよい。
【００３０】
新聞広告分析サイトサーバ１０は、利用者端末３０ａあるいは利用者端末３０ｂから受信したバーコード情報に基づいて、各店舗Ｗｅｂページ２０にアクセスして各店舗データベース１００から商品情報を取得し、記憶している商品情報蓄積部１２０を検索して該当する商品の商品情報を読み出す。ここで、商品情報とは、例えば、商品名称および価格情報等をいう。なお、バーコードに各店舗Ｗｅｂページ２０にアクセスし商品情報を取得するという処理が組み込まれていることで実行されてもよい。
【００３１】
但し、同じ業種の新聞広告を複数読み込んだ場合には、それらすべての新聞広告に掲載されている全商品について商品情報を取得する。例えば、Ａスーパーに掲載されているが、Ｂスーパーの新聞広告には掲載されていない商品が存在する場合には、Ｂスーパーの新聞広告にはその商品は掲載されていなくても、Ｂスーパーでのその商品の価格情報を取得する必要がある。これは、地域平均価格を算出するためである。
【００３２】
さらに、新聞広告分析サイトサーバ１０は、市場価格蓄積部１３０を検索してこれら全商品の市場価格を取得する（ステップ３０３）。
【００３３】
同じ業種の新聞広告バーコードを複数読み込んだ場合には、それら複数店舗での同商品の平均価格を地域平均価格とする。但し、同じ業種の新聞広告バーコードを複数読み込んでいない場合には、該当する一店舗の商品価格を地域平均価格とする（ステップ３０４）。
【００３４】
そして、新聞広告分析サイトサーバ１０は、新聞広告に掲載されている商品価格と地域平均価格を比較し、その結果情報を比較結果蓄積部１４０に記憶する（ステップ３０５）。
【００３５】
新聞広告分析サイトサーバ１０は、表出力部１５０により新聞広告に掲載されている商品価格と地域平均価格の比較結果を、例えば、図６に表示するように店舗ごとにタブで分類して比較結果を表出力し、利用者端末３０ａあるいは利用者端末３０ｂに表示する（ステップ３０６）。
【００３６】
新聞広告分析サイトサーバ１０は、市場価格推移表示部１７０により、例えば、図６に表示する画面にて、ある商品について市場価格推移を「見る」ボタンを押下した場合には、例えば、図７に示すように商品ごとに市場価格推移をわかりやすく表現した一覧表を市場価格推移データとして利用者端末３０ａあるいは利用者端末３０ｂに表示する（ステップ３０７）。ここで、ワンポイントアドバイスとして、市場価格推移についてのコメントが利用者端末３０ａあるいは利用者端末３０ｂの画面に表示されてもよい。
【００３７】
新聞広告分析サイトサーバ１０は、データ出力部１６０により、利用者端末３０ａあるいは利用者端末３０ｂの表示部に表示される、例えば、図６または図７に示す画面にて、「データ出力」ボタンを押下した場合には、例えば、図８に示すようなデータ保存設定画面に遷移し、地域平均価格との比較結果および商品ごとの市場価格推移に関するデータを任意の保存先に、任意のファイル名で、任意のＣＳＶ形式等のファイル形式で保存することや印刷することが可能である（ステップ３０８）。
【００３８】
上記の実施形態によれば、新聞広告に掲載されている商品価格と同商品の地域平均価格を比較し、さらにその商品ごとの市場価格推移までをも把握することで、新聞広告に掲載されている商品が安いかということだけでなく、今購入すべきであるかというタイミングと必要性との兼ね合いを考慮した判断を促すことができる。また、自ら複数の新聞広告を比較し価格推移を調査する手間や、各店舗のＷｅｂページにアクセスしなければならない手間を省くことができる。また、分析結果に基づいて、安い品物を上手に購入する術を身につければ、無駄使いを抑制することが可能となる。
【００３９】
本発明の新聞広告分析システムは、新聞広告分析サイトサーバ１０の構成要素である各手段の機能をハードウエア的に実現することは勿論として、上記した各手段の機能を実行する新聞広告分析プログラムをコンピュータ処理装置である新聞広告分析サイトサーバ１０上で実行することで実現できる。この新聞広告分析プログラムは、磁気ディスクあるいは半導体メモリその他の記憶媒体に格納され、その記憶媒体からコンピュータ処理装置にロードされ、コンピュータ処理装置の動作を制御することにより上記の各機能を実現する。
【００４０】
なお、上記の実施形態は、本発明の好適な実施の形態であり、本発明の要旨を逸脱しない範囲内において種々変更実施が可能である。例えば、新聞広告分析サイトサーバが、各店舗までのルート情報を保持しており、最適な道順を利用者端末の画面上に表示してもよい。
【図面の簡単な説明】
【００４１】
【図１】本発明の実施形態におけるシステムの構成を示す図である。
【図２】本発明の実施形態における新聞広告分サイトサーバの機能を示すブロック図である。
【図３】本発明の実施形態における商品価格分析処理の動作を示すフローチャートである。
【図４】本発明の実施形態における利用者端末に表示される入力画面の一例である。
【図５】本発明の実施形態における利用者端末に表示される待機画面の一例である。
【図６】本発明の実施形態における利用者端末に表示される価格表画面の一例である。
【図７】本発明の実施形態における利用者端末に表示される市場価格推移画面の一例である。
【図８】本発明の実施形態における利用者端末に表示されるデータ出力画面の一例である。
【符号の説明】
【００４２】
１０    新聞広告分析サイトサーバ
２０    各店舗Ｗｅｂページ
３０ａ、ｂ  利用者端末
１００    各店舗データベース
１０１、１０２    ネットワーク
【図１】
2005267192.tif 000003
【図２】
2005267192.tif 000004
【図３】
2005267192.tif 000005
【図４】
2005267192.tif 000006
【図５】
2005267192.tif 000007
【図６】
2005267192.tif 000008
【図７】
2005267192.tif 000009
【図８】
2005267192.tif 000010